(57)【特許請求の範囲】
【請求項１】
セルについての過負荷インジケータを決定するステップと、
スペクトル放射要件を満たすように、システム帯域幅の2つのエッジの近くに位置するサブキャリアを除くガードサブキャリア上の予約されたリソースを決定するステップと、
前記予約されたリソース上で前記セルについての過負荷インジケータを隣接セル内のユーザ装置(UE)に送信するステップと、
を有するワイヤレス通信の方法。
【請求項２】
前記予約されたリソースの一部をランダムに選択するステップをさらに有し、
前記過負荷インジケータは前記選択されたリソース上で送信される請求項１に記載の方法。
【請求項３】
セルについての過負荷インジケータを決定する手段と、
スペクトル放射要件を満たすように、システム帯域幅の2つのエッジの近くに位置するサブキャリアを除くガードサブキャリア上の予約されたリソースを決定する手段と、
前記予約されたリソース上で前記セルについての過負荷インジケータを隣接セル内のユーザ装置(UE)に送信する手段と、
を備えるワイヤレス通信のための装置。
【請求項４】
前記予約されたリソースの一部をランダムに選択する手段をさらに備え、
前記過負荷インジケータは前記選択されたリソース上で送信される請求項３に記載の装置。
【請求項５】
ユーザ装置(UE)においてガードサブキャリアを受信するステップと、
前記ガードサブキャリアを処理して隣接セルについての過負荷インジケータを取り出すステップと、
を有するワイヤレス通信の方法。
【請求項６】
ユーザ装置(UE)においてガードサブキャリアを受信する手段と、
前記ガードサブキャリアを処理して隣接セルについての過負荷インジケータを取り出す手段と、
を備えるワイヤレス通信のための装置。
【請求項７】
請求項１、２、または５のいずれか一項に記載の方法を少なくとも１つのコンピュータに実行させるためのコードを含むコンピュータプログラム。
【発明の詳細な説明】
【技術分野】
【０００１】
本開示は、概して通信に関し、より詳細には、ワイヤレス通信システムにおいて情報を送信する技法に関する。
【０００２】
本願は、発明の名称を“Method and Apparatus to Support an Over-the-Air (OTA) Load Indicator”とする2009年1月16日に出願された米国仮出願第61/145,428号、および、発明の名称を“Over-The-Air Overload Indicator”とする2009年3月12日に出願された米国仮出願第61/159,607号の優先権を主張し、これらの出願はその譲受人に譲渡され、参照により本明細書に組み込まれる。
【背景技術】
【０００３】
ワイヤレス通信システムは、音声、映像、パケットデータ、メッセージング、ブロードキャストなど、様々な通信コンテンツを与えるために広く展開されている。これらのワイヤレスシステムは、利用可能なシステムリソースを共有することによって複数のユーザをサポートすることができる多重アクセスシステムとすることができる。そのような多重アクセスシステムの例には、符号分割多重アクセス(CDMA)システム、時分割多重アクセス(TDMA)システム、周波数分割多重アクセス(FDMA)システム、直交FDMA(OFDMA)システム、およびシングルキャリアFDMA(SC-FDMA)システムがある。
【発明の概要】
【発明が解決しようとする課題】
【０００４】
ワイヤレス通信システムは、いくつかのユーザ装置(UE)の通信をサポートすることができるいくつかの基地局を含むことができる。基地局は、ダウンリンクとアップリンクとを介して複数のUEと同時に通信することができる。ダウンリンク(または順方向リンク)は基地局からUEへの通信リンクを指し、アップリンク(または逆方向リンク)はUEから基地局への通信リンクを指す。アップリンク上では、各UEは、そのサービング基地局にデータおよび/または他の情報を送信することができ、UEからの送信は、隣接基地局への干渉を引き起こし得る。システムパフォーマンスを改善するために干渉を緩和することが望ましい場合がある。
【課題を解決するための手段】
【０００５】
本明細書では、干渉を管理し、システムパフォーマンスを改善するために、過負荷インジケータを隣接セル内のUEに無線で送信する技法について説明する。セルの過負荷インジケータは、システム動作をサポートし、パフォーマンスを改善するために使用され得る、様々なタイプの情報を含むことができる。たとえば、過負荷インジケータは、そのセルの負荷、たとえば、そのセルが重負荷を観測しているかどうかを示すことができる。
【０００６】
第1の構成では、過負荷インジケータは、セルのための少なくとも1つの同期信号と基準信号との間の位相差として送信され得る。セルは、その負荷に基づいて上記過負荷インジケータを決定することができる。セルは上記基準信号を送信することができ、上記基準信号は、チャネル推定および/または他の目的のためにUEによって使用され得る。セルはまた、上記少なくとも1つの同期信号を送信することができ、上記少なくとも1つの同期信号は、セル捕捉および/または他の目的のためにUEによって使用され得る。上記過負荷インジケータは上記少なくとも1つの同期信号上で送信され得、上記基準信号は位相基準として使用され得る。
【０００７】
第2の構成では、過負荷インジケータは、セルのための少なくとも1つの同期信号の連続する送信の間の位相差として送信され得る。セルは、その負荷に基づいて上記過負荷インジケータを決定することができる。セルは、第1の時間期間内に上記少なくとも1つの同期信号の第1の送信を送出することができる。セルはまた、第2の時間期間内に上記過負荷インジケータを含む上記少なくとも1つの同期信号の第2の送信を送出することができる。上記過負荷インジケータは、上記少なくとも1つの同期信号の上記第2の送信と上記第1の送信との間の位相差によって伝達され得る。
【０００８】
第3の構成では、過負荷インジケータは、上記過負荷インジケータを送信するための予約されたリソース上でセルによって送信され得る。セルは、その負荷に基づいて上記過負荷インジケータを決定することができる。セルは、上記過負荷インジケータを送信するための予約されたリソースを決定することができる。上記予約されたリソースは、少なくとも1つのリソースブロックのデータ領域内のリソース要素、少なくとも1つのリソースブロックの制御領域内のリソース要素、少なくとも1つのリソースブロック中の未使用のリソース要素、および/または他のリソース要素を含むことができる。セルは、上記予約されたリソース上で上記過負荷インジケータを隣接セル内のUEに送信することができる。
【０００９】
第4の構成では、過負荷インジケータは、低再利用チャネルまたはブロードキャストチャネル上でセルによって送信され得る。セルは、その負荷に基づいて上記過負荷インジケータを決定することができる。セルは、(隣接セルからのより少ない干渉を観測し得る)上記低再利用チャネル上で、または上記ブロードキャストチャネル上で、上記過負荷インジケータを隣接セル内のUEに送信することができる。セルはまた、上記低再利用チャネルまたは上記ブロードキャストチャネル上で少なくとも1つの隣接セルの少なくとも1つの過負荷インジケータをそのUEに送信することができる。
【００１０】
過負荷インジケータはまた、他の方法で無線で送信され得る。全ての構成について、UEは、1つまたは複数の隣接セルから1つまたは複数の過負荷インジケータを受信することができる。UEは、上記過負荷インジケータが上記隣接セルによってどのように送信されるかに依存する方法で、上記過負荷インジケータの検出を実行することができる。UEは、各隣接セルの上記過負荷インジケータに基づいて、その隣接セルの負荷を決定することができる。UEは、上記隣接セルの上記負荷に基づいて上記UEの動作を制御することができる。UEはまた、上記過負荷インジケータに基づいてフィードバック情報を決定し、上記フィードバック情報をサービングセルに送信することができる。
【００１１】
本開示の様々な態様および特徴について以下でさらに詳細に説明する。
【図面の簡単な説明】
【００１２】
【図１】ワイヤレス通信システムを示す図である。
【図２】例示的なフレーム構造を示す図である。
【図３】2つの例示的なサブフレームフォーマットを示す図である。
【図４】過負荷インジケータの無線送信の構成を示す図である。
【図５Ａ】過負荷インジケータを送信するためにリソースブロックの組のデータ領域内のリソースを予約することについての構成を示す図である。
【図５Ｂ】過負荷インジケータを送信するためにリソースブロックの組のデータ領域内のリソースを予約することについての構成を示す図である。
【図６Ａ】過負荷インジケータを送信するために未使用のリソース要素を予約することについての構成を示す図である。
【図６Ｂ】過負荷インジケータを送信するために未使用のリソース要素を予約することについての構成を示す図である。
【図７】第1の構成に基づいて過負荷インジケータを送信するプロセスを示す図である。
【図８】第1の構成に基づいて過負荷インジケータを送信する装置を示す図である。
【図９】第2の構成に基づいて過負荷インジケータを送信するプロセスを示す図である。
【図１０】第2の構成に基づいて過負荷インジケータを送信する装置を示す図である。
【図１１】第3の構成に基づいて過負荷インジケータを送信するプロセスを示す図である。
【図１２】第3の構成に基づいて過負荷インジケータを送信する装置を示す図である。
【図１３】第4の構成に基づいて過負荷インジケータを送信するプロセスを示す図である。
【図１４】第4の構成に基づいて過負荷インジケータを送信する装置を示す図である。
【図１５】第1の構成に基づいて送信された過負荷インジケータを受信するプロセスを示す図である。
【図１６】第1の構成に基づいて送信された過負荷インジケータを受信する装置を示す図である。
【図１７】第2の構成に基づいて送信された過負荷インジケータを受信するプロセスを示す図である。
【図１８】第2の構成に基づいて送信された過負荷インジケータを受信する装置を示す図である。
【図１９】第3の構成に基づいて送信された過負荷インジケータを受信するプロセスを示す図である。
【図２０】第3の構成に基づいて送信された過負荷インジケータを受信する装置を示す図である。
【図２１】第4の構成に基づいて送信された過負荷インジケータを受信するプロセスを示す図である。
【図２２】第4の構成に基づいて送信された過負荷インジケータを受信する装置を示す図である。
【図２３】UEおよび2つの基地局のブロック図を示す図である。
【発明を実施するための形態】
【００１３】
本明細書で説明する技法は、CDMA、TDMA、FDMA、OFDMA、SC-FDMAおよび他のシステムなど、様々なワイヤレス通信システムに使用できる。「システム」および「ネットワーク」という用語は、しばしば互換的に使用される。CDMAシステムは、Universal Terrestrial Radio Access(UTRA)、cdma2000などの無線技術を実装することができる。UTRAは、Wideband CDMA(WCDMA(登録商標))およびCDMAの他の変形形態を含む。cdma2000は、IS-2000、IS-95およびIS-856規格をカバーする。TDMAシステムは、Global System for Mobile Communications(GSM(登録商標))などの無線技術を実装することができる。OFDMAシステムは、Evolved UTRA(E-UTRA)、Ultra Mobile Broadband(UMB)、IEEE802.11(Wi-Fi)、IEEE802.16(WiMAX)、IEEE802.20、Flash-OFDM(登録商標)などの無線技術を実装することができる。UTRAおよびE-UTRAは、Universal Mobile Telecommunication System(UMTS)の一部である。3GPP Long Term Evolution(LTE)およびLTE-Advanced(LTE-A)は、ダウンリンク上ではOFDMAを採用し、アップリンク上ではSC-FDMAを採用する、E-UTRAを使用するUMTSの新しいリリースである。UTRA、E-UTRA、UMTS、LTE、LTE-AおよびGSM(登録商標)は、「3rd Generation Partnership Project」(3GPP)という名称の組織からの文書に記載されている。cdma2000およびUMBは、「3rd Generation Partnership Project 2」(3GPP2)という名称の組織からの文書に記載されている。本明細書で説明する技法は、上記のシステムおよび無線技術、ならびに他のシステムおよび無線技術に使用できる。明快のために、本技法のいくつかの態様について以下ではLTEに関して説明し、以下の説明の大部分でLTE用語を使用する。
【００１４】
図１に、LTEシステムまたは何らかの他のシステムとすることができるワイヤレス通信システム100を示す。システム100は、いくつかの進化型ノードB(eNB(evolved Node B))110および他のネットワークエンティティを含むことができる。eNBは、UEと通信する局とすることができ、基地局、ノードB、アクセスポイントなどと呼ばれることもある。各eNB110は、特定の地理的エリアに対して通信カバレージを与えることができる。容量を改善するために、eNBの全体的なカバレージエリアを複数(たとえば、3つ)のより小さいエリアに区分することができる。3GPPでは、「セル」という用語は、この用語が使用される状況に応じて、eNBの最小カバレージエリアおよび/またはこのカバレージエリアにサービスするeNBサブシステムを指すことがある。
【００１５】
eNBは、マクロセル、ピコセル、フェムトセル、および/または他のタイプのセルに通信カバレージを与えることができる。マクロセルは、比較的大きい地理的エリア(たとえば、半径数キロメートル)をカバーし、サービスに加入しているUEによる無制限アクセスを可能にし得る。ピコセルは、比較的小さい地理的エリアをカバーし、サービスに加入しているUEによる無制限アクセスを可能にし得る。フェムトセルは、比較的小さい地理的エリア(たとえば、家庭)をカバーし、フェムトセルとの関連を有するUE(たとえば、限定加入者グループ(CSG(Closed Subscriber Group))中のUE)による限定アクセスを可能にし得る。図１に示す例では、eNB110a、110bおよび110cは、それぞれ、マクロセル102a、102bおよび102cのためのマクロeNBとすることができる。eNB110dは、ピコセル102dのためのピコeNBとすることができる。eNB110eは、フェムトセル102eのためのフェムトeNBとすることができる。「セル」、「eNB」、および「基地局」という用語は互換的に使用できる。
【００１６】
ネットワークコントローラ130は、eNBの集合に結合し、これらのeNBの調整および制御を行うことができる。ネットワークコントローラ130はバックホールを介してeNB110と通信することができる。eNB110はまた、たとえば、ワイヤレスバックホールまたはワイヤラインバックホールを介して直接または間接的に互いに通信することができる。
【００１７】
システム100は、同期システムまたは非同期システムとすることができる。同期システムでは、eNBは同様のフレームタイミングを有することができ、異なるeNBからの送信は時間的にほぼ整合され得る。非同期システムでは、eNBは異なるフレームタイミングを有することがあり、異なるeNBからの送信は時間的に整合されないことがある。
【００１８】
UE120はシステム100全体に分散することができ、各UEは固定または移動とすることができる。UEは、端末、移動局、加入者ユニット、局などと呼ばれることもある。UEは、セルラー電話、携帯情報端末(PDA)、ワイヤレスモデム、ワイヤレス通信デバイス、ハンドヘルドデバイス、ラップトップコンピュータ、コードレス電話、ワイヤレスローカルループ(WLL)局などとすることができる。UEは、ダウンリンクとアップリンクとを介してセルと通信することができる。図１では、両矢印を有する実線は、UEと、そのUEにサービスするように指定されたセルであるサービングセルとの間の所望の送信を示す。両矢印を有する破線は、UEと、そのUEにサービスしていないセルである隣接セルとの間の干渉送信を示す。
【００１９】
LTEは、ダウンリンク上では直交周波数分割多重(OFDM)を利用し、アップリンク上ではシングルキャリア周波数分割多重(SC-FDM)を利用する。OFDMとSC-FDMとは、周波数範囲を、一般にトーン、ビンなどとも呼ばれる複数(NFFT個)の直交サブキャリアに区分する。各サブキャリアはデータで変調され得る。一般に、変調シンボルは、OFDMでは周波数領域で、SC-FDMでは時間領域で送信される。隣接するサブキャリア間の間隔は固定とすることができ、サブキャリアの総数(NFFT)はシステム帯域幅に依存し得る。たとえば、NFFTは、1.25、2.5、5、10または20メガヘルツ(MHz)のシステム帯域幅に対してそれぞれ128、256、512、1024または2048に等しくなり得る。
【００２０】
図２に、LTEにおいてダウンリンクのために使用される例示的なフレーム構造200を示す。ダウンリンクの送信タイムラインは無線フレームの単位に区分できる。各無線フレームは、所定の継続期間(たとえば、10ミリ秒(ms))を有することができ、0〜9のインデックスをもつ10個のサブフレームに区分できる。各サブフレームは2個のスロットを含むことができる。したがって、各無線フレームは、0〜19のインデックスをもつ20個のスロットを含むことができる。各スロットは、L個のシンボル期間、たとえば、(図2に示すように)通常のサイクリックプレフィックスの場合は7個のシンボル期間、または拡張されたサイクリックプレフィックスの場合は6個のシンボル期間を含むことができる。各サブフレーム内の2L個のシンボル期間には0〜2L-1のインデックスが割り当てられ得る。
【００２１】
LTEでは、各セルは、ダウンリンク上でプライマリ同期信号(PSS)およびセカンダリ同期信号(SSS)を送信することができる。図２に示すように、LTEにおける周波数分割複信(FDD(Frequency Division Duplexing))では、PSSおよびSSSは、図２に示すように、通常のサイクリックプレフィックスの場合、各無線フレームのサブフレーム0および5の各々の中のシンボル期間6および5中に、それぞれ送信され得る。PSSおよびSSSは、セル捕捉のためにUEによって使用され得る。各セルは、サブフレーム0のスロット1中のシンボル期間0〜3中に物理ブロードキャストチャネル(PBCH)をも送信することができる。PBCHは、あるシステム情報を搬送することができる。各セルは、システム帯域幅の中心1.08MHzにおいて、PSS、SSSおよびPBCHを送信し、システム帯域幅の残りの部分において、他の送信を送出することができる。
【００２２】
LTEにおけるPSS、SSS、およびPBCHは、公開されている“Evolved Universal Terrestrial Radio Access (E-UTRA); Physical Channels and Modulation”と題する3GPP TS 36.211に記載されている。
【００２３】
図３に、通常のサイクリックプレフィックスの場合のダウンリンクのための2つの例示的な正規サブフレームフォーマット310および320を示す。ダウンリンクのために利用可能な時間周波数リソースはリソースブロックに区分できる。各リソースブロックは、1個のスロット中の12個のサブキャリアをカバーすることができ、いくつかのリソース要素を含むことができる。各リソース要素は、1個のシンボル期間内の1個のサブキャリアをカバーすることができ、実数値または複素数値であり得る1個の変調シンボルを送信するために使用できる。
【００２４】
図３に示すように、サブフレームは、制御領域と後続のデータ領域とを含むことができる。制御領域は、サブフレームの最初のM個のOFDMシンボルを含むことができ、ただし、Mは1、2、3または4に等しくなり得る。Mは、サブフレームごとに変化し、サブフレームの最初のシンボル期間内に送信される物理制御フォーマットインジケータチャネル(PCFICH)によって伝達され得る。最初のM個のOFDMシンボルは、制御情報を搬送するOFDMシンボルであるTDM制御シンボルとすることができる。データ領域は、サブフレームの残りの2L-M個のシンボル期間を含み、UEのためのデータを搬送することができる。図３に示す例では、各サブフレームは、M=3である、3個のTDM制御シンボルを含む。制御情報は、シンボル期間0〜2中に送信され得、データは、サブフレームの残りのシンボル期間3〜13中に送信され得る。
【００２５】
セルは、制御領域内で物理HARQインジケータチャネル(PHICH)と物理ダウンリンク制御チャネル(PDCCH)とを送信することができる。PHICHは、ハイブリッド自動再送信(HARQ)をサポートするための情報を搬送することができる。PDCCHは、UEのためのリソース割振りに関する情報と、ダウンリンクチャネル用の制御情報とを搬送することができる。セルは、データ領域内で物理ダウンリンク共有チャネル(PDSCH)を送信することができる。PDSCHは、ダウンリンク上でのデータ送信のためにスケジュールされたUEのためのデータを搬送することができる。LTEにおけるそれらの様々なチャネルは、上述の3GPP TS 36.211に記載されている。
【００２６】
サブフレームフォーマット310は、2つのアンテナを装備したeNBのために使用され得る。セル固有の基準信号(RS)が、シンボル期間0、4、7および11中に送信され得、チャネル推定および他の測定のためにUEによって使用され得る。基準信号は、送信機および受信機によって事前に知られている信号であり、パイロットと呼ばれることもある。セル固有の基準信号は、たとえば、セル識別情報(ID)に基づいて生成される、セルに固有の基準信号である。図３において、ラベルRaをもつ所与のリソース要素について、アンテナaからそのリソース要素上で基準シンボルが送信されることがあり、他のアンテナからそのリソース要素上で変調シンボルが送信されないことがある。サブフレームフォーマット320は、4つのアンテナを装備したeNBによって使用され得る。RSはシンボル期間0、1、4、7、8および11中に送信され得る。サブフレームフォーマット310とサブフレームフォーマット320の両方について、RSのために使用されていない(陰影なしで図３に示す)リソース要素を使用して、データおよび/または制御情報を送信することができる。
【００２７】
一態様では、セルは、過負荷インジケータを隣接セル内のUEに無線で送信することができる。過負荷インジケータ(OI)は、負荷インジケータ(LI)、他セクタ干渉(OSI)インジケータなどと呼ばれることもある。過負荷インジケータは、システムパフォーマンスを改善するようにUEの動作を制御するために使用され得る。
【００２８】
図４に、過負荷インジケータの無線(OTA(over-the-air))送信の構成を示す。簡単のために、図４には、サービングセルと通信し、2つの隣接セルを有するUEを示す。一般に、UEは、任意の数の隣接セルを有することができる。図４に示すように、UEは、サービングセルと通信し、サービングセルからダウンリンク送信を受信し、サービングセルにアップリンク送信を送出することができる。UEからのアップリンク送信は、隣接セルへの干渉を引き起こし得る。UEはまた、各隣接セルから過負荷インジケータを受信することができる。UEは、隣接セルから受信した過負荷インジケータに基づいてUEの動作を制御することができる。代替または追加として、UEは、過負荷インジケータに基づいてフィードバック情報を生成し、フィードバック情報をサービングセルに送信することができる。
【００２９】
一般に、セルの過負荷インジケータは、システム動作をサポートし、パフォーマンスを改善するために使用され得る、任意の情報を含むことができる。1つの構成では、過負荷インジケータは、そのセルの負荷を示すことができる。たとえば、過負荷インジケータは、軽負荷を示すための第1の値(たとえば、0)、または重負荷を示す第2の値(たとえば、1)のいずれかに設定され得る、単一ビットを含むことができる。過負荷インジケータはまた、より多くの負荷レベルを伝達するために使用され得るより多くのビットを含むことができる。別の構成では、過負荷インジケータは、リソースの量および/またはセルによって使用される特定のリソースの量を示すことができる。過負荷インジケータはまた、セルの負荷を示す他の情報を含むことができる。
【００３０】
1つの構成では、過負荷インジケータは、システム帯域幅全体について、セルの負荷を伝達することができる。他の構成では、過負荷インジケータは、固有のサブバンドまたは周波数範囲、あるいは固有の時間間隔、あるいは固有の時間周波数リソースなどについて、負荷を伝達することができる。
【００３１】
過負荷インジケータは、様々な目的のために使用され得る。1つの構成では、過負荷インジケータは、干渉管理のために使用され得る。セルは、そのセルによってサービスされる、いくつかのUE(被サービスUEと呼ばれることがある)と通信することができる。そのセルは、隣接セルと通信している他のUE(隣接UEと呼ばれることがある)からの干渉を観測することができる。被サービスUEも、隣接セルへの干渉を引き起こし得る。その干渉はパフォーマンスを劣化させることがある。
【００３２】
干渉管理のために、セルは過負荷インジケータを隣接UEに送信することができる。これらのUEは、そのセルからの過負荷インジケータに基づいて、これらのUEの動作を制御することができる。所与のUEが、隣接セルから過負荷インジケータを受信し、これらの過負荷インジケータに基づいて、そのUEの動作を制御することができる。第1の構成では、任意の隣接セルからの過負荷インジケータが、その隣接セルにおける重負荷を示した場合、UEは、その送信電力を低減し、ある送信をスキップし、あるリソースを使用することを回避し、および/または他のアクションを実行することができる。第2の構成では、UEは、過負荷インジケータを隣接セルからサービングセルに報告することができる。第3の構成では、UEは、受信した過負荷インジケータに基づいて、UEが使用すべき送信電力レベルを計算し、この送信電力レベルをサービングセルに報告することができる。第2および第3の構成の場合、サービングセルは、UEから受信したフィードバック情報(たとえば、過負荷インジケータまたは送信電力レベル)と、場合によっては他の情報(たとえば、UEからのパイロット測定報告)とに基づいて、UEによって引き起こされる隣接セルへの干渉を低減するための修正アクションを行うことができる。たとえば、サービングセルは、UEの電力制御のために、およびUEをスケジュールする際に、この情報を使用することができる。
【００３３】
過負荷インジケータは、隣接セル内のUEを対象とし、これらのUEによって確実に受信され得るように送信され得る。過負荷インジケータはまた、セル内のUEによって受信され、使用され得る。過負荷インジケータは、セルの負荷の変化を適時に伝達するために、周期的に(たとえば、5〜30msの範囲内の周期で)送信され得る。過負荷インジケータは、様々な方法で過負荷インジケータチャネル(OICH)上で送信され得る。
【００３４】
第1のOICHの構成では、過負荷インジケータが、セルのためのPSSおよび/またはSSSとRSとの間の位相差として送信され得る。RSは、基準位相として使用され得る。過負荷インジケータは、基準位相に対してPSSおよび/またはSSSの位相を変化させることによって送信され得る。一般に、過負荷インジケータはPSSおよび/またはSSS上で送信され得る。以下の説明では、「PSS/SSS」は、PSSのみ、またはSSSのみ、またはPSSとSSSの両方を指し得る。
【００３５】
セルのためのRSは、次のように生成することができる。セルのセルIDに基づいて初期化することができる擬似ランダム系列に基づいて、基準信号系列を生成することができる。その基準信号系列を、RSを搬送するOFDMシンボル中のリソース要素の集合にマッピングすることができる。リソース要素の集合は、図３に示すように、セルIDに基づいて選択されたサブキャリアを占有し、6個のサブキャリアだけ離間させることができる。
【００３６】
セルのためのPSSは、次のように生成することができる。セルのセルIDに基づいて生成することができるZadoff-Chu系列に基づいて、PSS系列を生成することができる。そのPSS系列を、PSSを搬送するOFDMシンボル中の中心/DCサブキャリアの各側の31個のリソース要素にマッピングすることができる。したがって、PSSは、セルIDに基づいて生成し、システム帯域幅の中心945KHzにおいて送信することができる。
【００３７】
セルのためのSSSは、次のように生成することができる。セルのセルIDに基づいて擬似ランダム系列とスクランブル系列との集合を生成することができる。次いで、擬似ランダム系列とスクランブル系列との集合に基づいてSSS系列を生成することができる。そのSSS系列を、SSSを搬送するOFDMシンボル中の中心/DCサブキャリアの各側の31個のリソース要素にマッピングすることができる。したがって、SSSは、セルIDに基づいて生成し、システム帯域幅の中心945KHzにおいて送信することができる。
【００３８】
RSは、たとえば、図３に示すように、任意の所与のリソース要素上でただ1つの物理アンテナ(または1つのアンテナポート)から送信され得る。UEは、その物理アンテナから送信されたRSに基づいて、セルのための各物理アンテナからUEへのチャネル応答を推定することができる。
【００３９】
PSSおよびSSSは、セルのためのT個の物理アンテナの線形結合によって形成された仮想アンテナから送信され得、ただし、Tは1よりも大きくなり得る。一般に、T個の物理アンテナの線形結合のために、重み付けの任意の集合を使用することができ、選択された重み付けは、PSSおよびSSSのためのビームを形成する。LTEにおけるFDDでは、同じサブフレーム内で送信されるPSSおよびSSSの1つの送信/インスタンスのために、同じビームが使用され得る。しかしながら、ビームは、空間ダイバーシティを得るために経時的に変化し得る(たとえば、PSSおよびSSSの異なる送信のために、異なるビームが使用され得る)。UEは、ビームを知ることなしにPSSおよびSSSを受信することができる。しかしながら、過負荷インジケータが、PSS/SSSとRSとの間の位相差として送信されたときは、UEが過負荷インジケータを取り出せるようにするために、ビームまたは重み付けを指定するか、またはUEに伝達することができる。次いで、UEは、そのRSを、過負荷インジケータを搬送し、PSS/SSS上の位相として変調される、シンボルに対する位相基準として使用することができる。
【００４０】
過負荷インジケータは、PSSおよび/またはSSS中で送信され得る。LTEでは、3つの可能なPSS系列があり、168個の可能なSSS系列があり、セルIDは合計504個となる。各セルは、そのセルIDに基づいて決定された1つのPSS系列および1つのSSS系列を送信する。同じPSS系列を送信する複数のセルの可能性は、同じSSS系列を送信する複数のセルの可能性よりもはるかに大きくなり得る。したがって、過負荷インジケータをSSS中で送信し、SSSに基づいて過負荷インジケータの検出を実行することによって、より良いパフォーマンスを得ることができる。
【００４１】
1つの構成では、過負荷インジケータは、次のようにPSSまたはSSS上で送信され得る。PSSまたはSSSのために62個のシンボルの集合を生成することができ、各シンボルは実数値または複素数値であり得る。次のように、62個のシンボルの各々に、過負荷インジケータのためのシンボルを乗算することができる。
B(k)=X・A(k)          式(1)
上式で、A(k)は、サブキャリアkに関するPSSまたはSSSのためのシンボルであり、
Xは、過負荷インジケータのためのシンボルであり、
B(k)は、キャリアkに関する変調されたシンボルである。
【００４２】
過負荷インジケータのためのシンボルは、1つの情報ビットを搬送するBPSKシンボル、2つの情報ビットを搬送するQPSKシンボルなどとすることができる。式(1)に示すように、PSSまたはSSSのための62個のシンボルに、過負荷インジケータのためのそのシンボルを乗算して、62個の変調されたシンボルを得ることができ、62個の変調されたシンボルは、PSSまたはSSSのために使用される62個のサブキャリアにマッピングすることができる。
【００４３】
次のように、変調されたシンボルをビームに沿って送信するために、重み付けの集合を用いてプリコーディングを実行することができる。
【００４４】
【数１】
0005714657.tif 000002
【００４５】
上式で、
【００４６】
【数２】
0005714657.tif 000003
【００４７】
は、T個の物理アンテナの重み付けのベクトルであり、
【００４８】
【数３】
0005714657.tif 000004
【００４９】
は、サブキャリアk上でのT個の物理アンテナのための出力シンボルのベクトルであり、「T」は転置を示す。
【００５０】
式(2)に示すように、物理アンテナの線形結合によって形成されたビームに沿って送信するために、プリコーディングを実行することができる。プリコーディングは、ビームなしに物理アンテナから直接送信するために、省略できる。プリコーディングは、他の方法でも、たとえば、変調されたシンボルに対してではなく、OFDMシンボルに対して実行できる。式(2)に示すプリコーディングによって、各物理アンテナのために62個の出力シンボルの1つの集合を生成することができる。各物理アンテナのための62個の出力シンボルを、PSSまたはSSSのために使用される62個のサブキャリアにマッピングし、場合によっては、他のシンボルを他のサブキャリアにマッピングして、その物理アンテナのためのOFDMシンボルを生成することができる。各OFDMシンボルは、その物理アンテナから送信することができる。
【００５１】
UEはセルからPSSまたはSSSを受信することができる。(UEにおけるアンテナが1つと仮定すると)PSSまたはSSSのための受信シンボルは、次のように表すことができる。
Y(k)=H1(k)・W1・B(k)+...+HT(k)・WT・B(k)+N(k)          式(3)
上式で、Wtは、物理アンテナtの重み付けであり、ただし、t∈{1,...,T}であり、
Ht(k)は、サブキャリアk上での物理アンテナtのためのチャネル応答であり、
Y(k)は、サブキャリアkに関する受信シンボルであり、
N(k)は、キャリアk上での雑音である。
【００５２】
式(3)は、ベクトル形態で次のように表すことができる。
【００５３】
【数４】
0005714657.tif 000005
【００５４】
上式で、
【００５５】
【数５】
0005714657.tif 000006
【００５６】
は、チャネル利得の行ベクトルであり、
Heff(k)は、サブキャリアk上での実効チャネルのチャネル利得である。
【００５７】
UEは、各物理アンテナから送信された基準信号に基づいて、そのアンテナのためのチャネル応答を推定することができる。UEは、当該の各サブキャリアkに関して、
【００５８】
【数６】
0005714657.tif 000007
【００５９】
の推定値である
【００６０】
【数７】
0005714657.tif 000008
【００６１】
を得ることができる。UEはまた、T個の物理アンテナの重み付け
【００６２】
【数８】
0005714657.tif 000009
【００６３】
を知っていることがある。UEは、
【００６４】
【数９】
0005714657.tif 000010
【００６５】
および
【００６６】
【数１０】
0005714657.tif 000011
【００６７】
に基づいて、実効チャネルのチャネル推定値を導出することができる。
【００６８】
1つの構成では、UEは、次のように、最小平均2乗誤差(MMSE)技法に基づいて検出を実行することができる。
【００６９】
【数１１】
0005714657.tif 000012
【００７０】
上式で、
【００７１】
【数１２】
0005714657.tif 000013
【００７２】
は、サブキャリアkに関する実効チャネル利得推定値であり、
【００７３】
【数１３】
0005714657.tif 000014
【００７４】
は、サブキャリアkに関する検出されたシンボルであり、B(k)の推定値であり、
【００７５】
【数１４】
0005714657.tif 000015
【００７６】
は雑音N(k)の分散であり、「*」は複素共役を示す。
【００７７】
UEはまた、最小2乗(LS)技法に基づいて検出を実行することができる。この場合、式(5)中の雑音分散は省略できる。UEは、他の方法でも検出を実行することができる。次いで、UEは、検出されたシンボル
【００７８】
【数１５】
0005714657.tif 000016
【００７９】
を処理して、過負荷インジケータのためのシンボルXを決定することができる。
【００８０】
別の構成では、UEは、UEにおける実際の受信シンボルと、仮定される受信シンボルとの間の誤りを最小限に抑えるシンボルXを見つけることができる。シンボルXがBPSKまたはQPSK変調シンボルであるとき(または、より一般的には、|X|2=1であるとき)、問題は、次のような相関に帰着する。
【００８１】
【数１６】
0005714657.tif 000017
【００８２】
上式で、σ2は、
【００８３】
【数１７】
0005714657.tif 000018
【００８４】
中の残留雑音電力であり、
Xiは、シンボルXのi番目の可能な値であり、
Ciは、Xiの相関結果である。
【００８５】
UEは、一般に、過負荷インジケータを決定することを試みるときには、A(k)を知っている。たとえば、UEは、PSS/SSSのために使用されるビームに気づかないレガシーUEと同様にして、A(k)を検出するためのPSS/SSS検出を実行することができる。UEは、式(6)に示すように、Xの各可能な値に対して相関を実行することができる。UEは、送信される可能性が最も高いシンボルとして最も小さい相関結果を生じるXiの値を与えることができる。
【００８６】
UEは、他の方法でも検出を実行することができる。たとえば、UEは、場合によっては適切なフィルタ処理後に、過負荷インジケータのためのシンボルとともにPSS/SSSのためのシンボルとRSのためのシンボルとの間の時間または周波数相関を実行することができる。ハードウェア複雑さを低減するために、UEは、探索器中のハードウェア構成要素および/またはUEにおける測定報告エンジンを使用することができる。
【００８７】
第1のOICHの構成の場合、OICHを受信することができるUEは、上記で説明したように検出を実行して、過負荷インジケータを取り出すことができる。OICHを受信することができないUE(レガシーUEと呼ばれることがある)は、PSSとSSSの両方における過負荷インジケータの送信による影響を受けないことがある。レガシーUEは、各物理アンテナのための実際の重み付けWt・Xを観測する。PSSおよびSSSの各送信/インスタンスのために同じビームが使用されるので、レガシーUEの動作は影響を受けない。
【００８８】
第2のOICHの構成では、過負荷インジケータが、セルのためのPSS/SSSの連続する送信の間の位相差として送信され得る。PSS/SSSの第1の送信は基準位相として使用され得る。過負荷インジケータは、基準位相に対してPSS/SSSの第2の送信の位相を変化させることによって送信され得る。PSS/SSSのそれらの2つの送信は、LTEのFDDでは、同じ無線フレームのサブフレーム0および5中で送信され得る。
【００８９】
第2のOICHの構成の場合、PSS/SSSの少なくとも2つの連続する送信をカバーする時間間隔の間、同じビームが使用され得る。時間間隔は1つまたは複数の無線フレームをカバーすることができ、各無線フレームは、図２に示すように、PSSおよびSSSの2つの送信を含むことができる。ビームは、時間間隔ごとに変化し得、UEに伝達される必要がないことがある。第1の送信の場合、シンボルA(k)を、PSS/SSSのために使用される62個のサブキャリアにマッピングすることができる。第2の送信の場合、変調されたシンボルB(k)を、PSS/SSSのために使用される62個のサブキャリアにマッピングすることができる。
【００９０】
UEは、最初に、たとえば、レガシーUEによって使用される隣接セル探索技法と同様の隣接セル探索技法を使用して、A(k)を決定することができる。UEは、セルからPSS/SSSの2つの送信を受信することができる。UEは、PSS/SSSの第1の送信を処理し、A(k)についてのUEの知識を使用して、実効チャネルのチャネル利得推定値
【００９１】
【数１８】
0005714657.tif 000019
【００９２】
を導出することができる。UEは、PSS/SSSの第2の送信を処理して、たとえば、第1のOICHの構成について上記で説明したように、チャネル利得推定値に基づいてシンボルXを取り出すことができる。
【００９３】
PSS/SSSの第1の送信は、PSS/SSSの第2の送信に対する位相基準として使用されるので、それらの2つの送信は、時間的にできるだけ近接して送信されるべきである。これにより、PSS/SSSの第1の送信に基づいて得られるチャネル推定値が、PSS/SSSの第2の送信中のチャネル応答の適度に正確な推定値であることを保証することができる。
【００９４】
第1および第2のOICHの構成の場合、過負荷インジケータは、PSS/SSS上で送信され、通常、UEによって受信される。過負荷インジケータを送信するための追加の信号および余分のオーバーヘッドは必要とされない。さらに、PSSとSSSの両方において過負荷インジケータを送信することは、過負荷インジケータのためのシンボルXをビームの一部として見なし得るレガシーUEの動作に影響を及ぼさない。第1のOICHの構成の場合、ビーム情報は、規格において指定され、および/または、たまに無線で送信され得る。
【００９５】
同期システムの場合、UEは、同じサブフレーム内で、全てのセルからPSSおよびSSSを受信することができる。非同期システムの場合、UEは、各セルのフレームタイミングに基づいて、そのセルからPSSおよびSSSを受信することができる。UEは、間欠受信(DRX)を用いて動作することができる。この場合、非同期システムでは、UEは、その受信時間を低減するために、PSSおよびSSS送信の一部においてのみ過負荷インジケータを受信することができる。
【００９６】
第3のOICHの構成では、過負荷インジケータが、過負荷インジケータを送信するための予約されたリソース上で送信され得る。予約されたリソースは、1つまたは複数のリソースブロック、リソース要素の集合などを含むことができる。過負荷インジケータは、隣接セル内のUEを対象とし得る。予約されたリソースは、UEが過負荷インジケータを受信できるようにするために、UEに伝達され得る。
【００９７】
第1のリソース予約の構成では、過負荷インジケータを送信するためにデータ領域内のいくつかのリソース(たとえば、少なくとも1つのリソースブロックのデータ領域内のいくつかのリソース要素)を予約することができる。これらの予約されたリソース上では、いかなるデータも送信されないことがある。LTEの場合、過負荷インジケータは、データ領域内のPDSCHまたは何らかの他の物理チャネル上で送信され得る。第2のリソース予約の構成では、過負荷インジケータを送信するために制御領域内のいくつかのリソース(たとえば、制御領域内のいくつかのリソース要素)を予約することができる。これらの予約されたリソース上では、いかなる制御情報も送信されないことがある。LTEの場合、過負荷インジケータは、この目的のために制御領域内のPHICH、PDCCH、および/または何らかの他の物理的チャネルのリソースの一部を残しておくことによって、予約されたリソース上で送信され得る。両方のリソース予約の構成について、予約されたリソースは、ダイバーシティを得るために、周波数にわたって経時的に変わり得る。
【００９８】
1つの構成では、UEが、より小さい逆高速フーリエ変換(IFFT)を使用して、隣接セルからの過負荷インジケータを処理できるようにするために、予約されたリソースは、小さい帯域幅中の少数のサブキャリアを占有することができる。1つの構成では、予約されたリソースは、システム帯域幅の中心1095KHzにおける73個のサブキャリアの、または中心/DCサブキャリアの各側の36個のサブキャリアの、全てまたは部分集合を占有することができる。この構成により、UEは、過負荷インジケータ、ならびに(i)システム帯域幅の中心945KHzにおいて送信されたPSSおよびSSS、ならびに(ii)システム帯域幅の中心1095KHzにおいて送信されたPBCHを受信できるようになり得る。
【００９９】
図５Aに、過負荷インジケータを送信するためにリソースブロックのペアのデータ領域内のリソースを予約することについての構成を示す。この構成では、リソースブロックの組は、PSSおよびSSSがサブフレーム5中の中心945KHzにおいて送信される、6つのリソースブロックの組のうちの1つである。予約されたリソースは、PSS、SSS、またはRSのために使用されていない、データ領域内の全てのリソース要素を含むことができる。過負荷インジケータは、リソースブロックの組の中の予約されたリソース上で送信され得る。PBCHはサブフレーム5中で送信されないので、過負荷インジケータを送信するためのより多くのリソース要素が利用可能であり得る。
【０１００】
図５Ｂに、リソースブロックの組の中の予約されたリソース上で過負荷インジケータを送信することについての別の構成を示す。この構成では、図５Ａについて上記で説明したように、予約されたリソースは、PSS、SSS、またはRSのために使用されていない、データ領域内の全てのリソース要素を含むことができる。予約されたリソースの一部は、(図５Ｂに「A」と表示された)追加の基準シンボルを送信するために使用され得、残りの予約されたリソースは、過負荷インジケータを送信するために使用され得る。図５Ｂには、追加の基準シンボルのために使用されるリソース要素の例示的な集合を示している。追加の基準シンボルを送信するために他のリソース要素も使用され得る。いずれの場合も、追加の基準シンボルは、より正確なチャネル推定値を導出するためにUEによって使用され得、検出パフォーマンスが改善され得る。
【０１０１】
第3のリソース予約の構成では、過負荷インジケータを送信するために、PSSおよびSSSの近くの未使用のリソース要素、および/または、PBCH領域内の未使用のリソース要素を予約することができる。この構成により、いかなる追加のリソースをも消費することなしに過負荷インジケータを送信することが可能になり得る。
【０１０２】
図６Ａに、1つの物理アンテナがある場合、過負荷インジケータを送信するためにPSSおよびSSSの近くの、および/または、PBCH領域内の未使用のリソース要素を予約することについての構成を示す。図６Ａには、サブフレーム0中でPSS、SSS、およびPBCHを送信するために使用される6つのリソースブロックの組のうちの3つを示している。これらの6つのリソースブロックの組は、システム帯域幅の中心1095KHzをカバーする中心/DCサブキャリアの各側の36個のサブキャリアを占有する。PSSおよびSSSは、それぞれ、シンボル期間6および5中に、中心の62個のサブキャリア上で送信される。過負荷インジケータを送信するためにシンボル期間6および5中のPSSおよびSSSの両側の10個の(図６Ａに「U」と表示された)未使用のリソース要素を予約することができる。
【０１０３】
PBCH領域は、サブフレーム0中のシンボル期間7〜10中の中心の72個のサブキャリアをカバーする。PBCHは、図６Ａ中のPBCH領域内の表示なしのリソース要素上で送信される。PBCH領域内のいくつかのリソース要素は、アンテナ0からRSを送信するために使用され、図６Ａに「R」で表示されている。PBCH領域内のいくつかのリソース要素は、未使用であり、図６Ａに「U」で表示されている。PBCH領域内のそれらの未使用のリソース要素は、過負荷インジケータを送信するために予約することができる。
【０１０４】
図６Ｂに、2つの物理アンテナがある場合、過負荷インジケータを送信するために、PSSおよびSSSの近くの、および/または、PBCH領域内の未使用のリソース要素を予約することについての構成を示す。PSSおよびSSSは、それぞれ、シンボル期間6および5中に、中心の62個のサブキャリア上で送信される。過負荷インジケータを送信するためにPSSおよびSSSの両側の10個の未使用のリソース要素を予約することができる。
【０１０５】
PBCH領域は、サブフレーム0中のシンボル期間7〜10中の中心の72個のサブキャリアをカバーする。PBCH領域内のいくつかのリソース要素は、2つの物理アンテナからRSを送信するために使用され、図６Ｂに「R」で表示されている。PBCH領域内のいくつかのリソース要素は、未使用であり、図６Ｂに「U」で表示されている。PBCH領域内のそれらの未使用のリソース要素は、過負荷インジケータを送信するために予約することができる。
【０１０６】
PBCH領域は、4つの物理アンテナがある場合、いかなる未使用のリソース要素をも含まない。しかしながら、PSSおよびSSSの両側の10個の未使用のリソース要素は、過負荷インジケータを送信するために予約することができる。
【０１０７】
図６Ａおよび図６Ｂに示すように、過負荷インジケータを送信するために、PSSおよびSSSの近くの、および、PBCH領域内の少なくとも20個の未使用のリソース要素を予約することができる。同期システムの場合、再利用が適用され得、各セルは、これらのリソース要素の一部においてのみ、各セルの過負荷インジケータを送信することができる。同期システムと非同期システムの両方について、隣接セル内のUEによる確実な受信を可能にするために、過負荷インジケータは、これらのリソース要素上でより高い電力レベルにおいて送信され得る。未使用のリソース要素上で過負荷インジケータを送信することにより、レガシーUEへの影響を回避することができる。
【０１０８】
一般に、過負荷インジケータを送信するために、正規サブフレーム、またはマルチキャスト/ブロードキャスト単一周波数ネットワーク(MBSFN)サブフレーム、またはブランクサブフレーム、または何らかの他のサブフレーム内のいくつかのリソースを予約することができる。MBSFNサブフレームは、マルチキャストおよび/またはブロードキャストデータを複数のUEに送信するために通常使用されるサブフレームである。MBSFNサブフレームは、より少数のシンボル期間内に送信されるRSを有し得、サブフレームのより多くを他の送信のために使用することを可能にし得る。ブランクサブフレームは、RS、制御情報、およびデータの義務づけられた送信を含まない。過負荷インジケータのためにブランクサブフレームまたはMBSFNサブフレームを使用することの利点は、これらのサブフレームが、基準信号をほとんどまたはまったく含まないことであり、その結果、隣接セルから過負荷インジケータを受信しようと試みるUEは、そのサービングセルおよび他の隣接セルからのより少ない干渉を観測するようになり得る。たとえば、サービングセルは、UEが隣接セルから過負荷インジケータを受信することが予想される場合、あるいは時間および/または周波数再利用が採用されるとき、その部分をブランキングすることができる。予約されたリソースは、静的で変更されないか、または半静的で緩やかに変更されるか、または動的で必要なだけ頻繁に変更され得る。
【０１０９】
過負荷インジケータのための予約されたリソースは、様々な方法でUEに伝達され得る。たとえば、予約されたリソースは、PSS、SSS、PBCH、および/または、他の信号およびチャネルを介して伝達され得る。1つの構成では、セルは、(より広いカバレージを有し得る)PSSおよび/またはSSSを介して、あるいは(より小さいカバレージを有し得る)PBCHを介して、(セルの過負荷インジケータを送信するためにセルによって使用され得る)セルの予約されたリソースを隣接セル内のUEに伝達することができる。別の構成では、セルは、PSS、SSS、PBCHなどを介して、(隣接セルの過負荷インジケータを送信するために隣接セルによって使用され得る)隣接セルのための予約されたリソースを、セルによってサービスされるUEに伝達することができる。一般に、UEは、隣接セルおよび/またはサービングセルによって送信された任意の好適な信号またはチャネルに基づいて、隣接セルの過負荷インジケータを送信するために隣接セルによって予約されたリソースを決定することが可能であり得る。
【０１１０】
セルは、様々な方法で、予約されたリソース上で過負荷インジケータを送信することができる。1つの構成では、過負荷インジケータを、可能な擬似ランダム系列の集合のうちのある擬似ランダム系列にマッピングすることができる。次いで、その擬似ランダム系列を、予約されたリソースにマッピングすることができる。別の構成では、過負荷インジケータを、符号化し、各シンボルが実数値または複素数値であり得るシンボルの集合にシンボルマッピングすることができる。それらのシンボルを、予約されたリソースにマッピングすることができる。
【０１１１】
1つの構成では、過負荷インジケータは、PSSおよびSSSのために使用される同じビームを使用してプリコーディングを用いて送信され得る。この構成により、UEは、PSS/SSSを、過負荷インジケータを検出するための位相基準として使用できるようになり得る。(RSではなく)PSS/SSSを過負荷インジケータのための位相基準として使用することにより、UEは、セルが2つ以上の物理アンテナを有する場合でも、実効チャネルの単一のチャネル推定値を得ることができるようになり得る。これにより、低い受信信号品質において特にひどいことがあるチャネル推定損失を最小限に抑えることができる。(たとえば、図５Ｂに示す)追加の基準シンボルは、チャネル推定パフォーマンスをさらに改善することができ、次いで検出パフォーマンスが改善され得る。別の構成では、過負荷インジケータは、プリコーディングを用いずに送信され得る。この構成の場合、UEは、(PSS/SSSではなく)RSに基づいてチャネル推定値を導出することができる。さらに別の構成では、過負荷インジケータは、UEに知られているが、PSSおよびSSSのために使用されるビームとは異なり得る、ビームのためのプリコーディングを用いて送信され得る。この構成により、セルは、PSSおよびSSSのためのビームと過負荷インジケータのためのビームとを別個に制御できるようになり得る。UEは、RSと過負荷インジケータのための知られているビームとに基づいてチャネル推定値を導出することができる。全ての構成について、追加の基準シンボルは、過負荷インジケータと同様にして(たとえば、プリコーディングを用いてまたは用いずに)送信され得る。
【０１１２】
セルは、UEがセルからの過負荷インジケータを取り出せるようにする方法で、予約されたリソース上で過負荷インジケータを送信することができる。複数のセルが、それらの過負荷インジケータを同じリソース上で送信することができる場合、各セルは、UEが過負荷インジケータの送信者を識別することができるように、各セルの過負荷インジケータを送信することができる。たとえば、各セルは、そのセルに割り当てられたスクランブル系列、たとえば、セルIDに基づいて生成されたスクランブル系列を用いて、各セルの過負荷インジケータをスクランブルすることができる。この場合、UEは、セルから過負荷インジケータを受信するより前に、そのセルのセルIDを判断することができる。セルIDは、セルによって送信されたPSSおよびSSSから、サービングセルによって送信された隣接セルリストから、または他のソースから得ることができる。
【０１１３】
セルは、任意の好適なレートで、予約されたリソース上でセルの過負荷インジケータを送信することができる。過負荷インジケータが十分に高速なレートで(たとえば、サブフレームごとに)送信された場合、UEは、DRXを用いて動作し、(過負荷インジケータの送信のたびにではなく)時々しか過負荷インジケータを受信しないことができる。セルはまた、隣接セルにおけるより深い浸透(penetration)を達成するために、データのための送信電力と比較してより高い送信電力において(すなわち、電力ブースティングを用いて)過負荷インジケータを送信することができる。セルはまた、PSS/SSS上で過負荷インジケータを送信することに加えて、予約されたリソース上で過負荷インジケータを送信することができる。したがって、第3のOICHの構成は、第1または第2のOICHの構成と組み合わせて使用され得る。
【０１１４】
第4のOICHの構成では、過負荷インジケータが、隣接セルからのより少ない干渉を観測し得る低再利用チャネル上で送信され得る。低再利用チャネルのために、いくつかのリソースを予約することができる。各セルは、予約されたリソースの一部において各セルの低再利用チャネルを送信することができる。低再利用チャネルは、過負荷インジケータと、場合によってはセルID、マスタ情報ブロック(MIB)など、他の情報とを搬送することができる。
【０１１５】
低再利用チャネルは、セルのうちの一部分のみが所与のリソース上でそのセルの低再利用チャネルを送信するように、1よりも大きい再利用係数を用いて送信され得る。たとえば、M>1である再利用係数Mの場合、M個のセルごとに1つのセルのみが所与のリソース上でそのセルの低再利用チャネルを送信することができる。所与のセルからの低再利用チャネルは、他のセルからのより少ない干渉を観測し得、それにより、より多くのUEによる低再利用チャネルの受信が可能になり得る。また、低再利用チャネル上での送信は、強い干渉セルからの送信が、より弱い所望のセルからの送信と常に衝突する状況を回避するために、ランダム化され得る。
【０１１６】
1つの構成では、低再利用チャネルは、RSよりも広いカバレージおよびRSよりも良好な可聴性を有し得る低再利用プリアンブル/パイロット(LRP)を含むことができる。LRPは、測位支援基準信号(PA-RS)、高度に検出可能なパイロット(HDP)などと呼ばれることもある。過負荷インジケータは、1つまたは複数のシンボルにマッピングすることができ、そのシンボルはLRP上で送信することができる。たとえば、過負荷インジケータは、単一のシンボルにマッピングすることができ、そのシンボルは、たとえば、式(1)に示すように、LRPのための各シンボルを変調するために使用され得る。
【０１１７】
別の構成では、過負荷インジケータを搬送する低再利用チャネルは、ガードサブキャリア上で送信され得る。合計NFFT個のサブキャリアがOFDMまたはSC-FDMから得られ得るが、これらのNFFT個のサブキャリアの部分集合のみが送信のために使用され得る。システムがスペクトル放射要件を満たすことを可能にするために、システム帯域幅の2つのエッジの近くに位置し得る残りのサブキャリアは、未使用のままにしておくことができ、ガードサブキャリアとして働くことができる。ガードサブキャリアの一部または全部が低再利用チャネルのために使用され得る。ランダム再利用を採用することができ、各セルは、各セルの低再利用チャネルを送信するためのサブキャリアの集合をランダムに選択することができる。
【０１１８】
第4のOICHの構成の変形体では、過負荷インジケータがPBCH上で送信され得る。これは、いくつかの方法で達成され得る。第1のPBCHの構成では、セルは、そのPBCH上でセルの過負荷インジケータを隣接セル内のUEに送信することができる。この構成の場合、UEは、隣接セルのPBCHを処理して、これらのセルの過負荷インジケータを得ることができる。次いで、UEは、隣接セルの過負荷インジケータに基づいて、そのUEの動作を制御し、および/または他のアクションを実行することができる。この構成は、良好な処理利得を与えることができるが、PBCH上での過負荷インジケータの送信によりカバレージを低下させることがある。さらに、過負荷インジケータの周期はPBCHの周期に依存し、LTEの場合、40msである。
【０１１９】
第2のPBCHの構成では、セルは、セルのPBCH上で隣接セルの過負荷インジケータを送信することができる。セルは、たとえば、バックホールを介して、隣接セルの過負荷インジケータを受信することができる。セルは、PBCH上でこれらの過負荷インジケータをセルのUEに送信することができる。PBCHは、1つまたは複数の隣接セルの1つまたは複数の過負荷インジケータを搬送するための1つまたは複数のフィールドで定義され得る。セルのカバレージ内のUEは、セルのPBCHを処理して、隣接セルの過負荷インジケータを得ることができる。次いで、これらのUEは、隣接セルの過負荷インジケータに基づいて、これらのUEの動作を制御し、および/または他のアクションを実行することができる。
【０１２０】
第1のPBCHの構成の場合、UEは、隣接セルのPBCHを受信して、これらのセルの過負荷インジケータを得ることができる。各セルからのPBCHは、そのセル内のUE、および場合によっては隣接セル内の強いUEを対象とし、したがって、限定された浸透を有し得る。UEは、検出パフォーマンスを改善するために、干渉除去を使用して隣接セルのためのPBCHを処理することができる。干渉除去のために、UEは、受信信号を処理して、一度に1つの(たとえば、最も強い)隣接セルのためのPBCHを取り出すことができる。1つの隣接セルのためのPBCHを正しく復号すると、UEは、そのPBCHによる干渉を推定し、推定された干渉を受信信号から減算し、干渉除去された信号を処理して、別の隣接セルのためのPBCHを取り出すことができる。
【０１２１】
上記では、過負荷インジケータを送信するための様々な構成について説明した。過負荷インジケータは他の方法でも送信され得る。過負荷インジケータは、LTE Release 8における既存の信号およびチャネルの変更を回避するかまたは最小限に抑える方法で送信され得る。過負荷インジケータは、UEが、(i)同期および非同期セル、ならびに(ii)低い受信信号品質をもつ極めて弱い隣接セルから過負荷インジケータを受信できるようにする方法でも送信され得る。たとえば、過負荷インジケータは、PSSおよびSSSの浸透と同様の(または、それよりも良好な)浸透を有し得る。過負荷インジケータはまた、好適な周期(たとえば、5〜30msの範囲内)で送信され得、好適な周期は、(より高い周期を選好し得る)パフォーマンスと(より低い周期を選好し得る)オーバーヘッドとの間の良好な折衷を達成するように選択され得る。過負荷インジケータは、10msの周期にわたる各無線フレーム内で送信され得る。異なるセルの過負荷インジケータは、UEにおける、これらのセルからの過負荷インジケータの度重なる衝突を回避するために、時間ごとに変わり得る時間周波数ロケーションにおいて送信され得る。
【０１２２】
過負荷インジケータは、過負荷インジケータの検出のために最小の追加の複雑さをUEに課する方法でも送信され得る。これは、既存の信号(たとえば、SSS)を使用して過負荷インジケータを送信することによって達成され得る。これは、新しいセルを検出し、検出されたセルを追跡するためにUEによってすでに監視されていることがある、中心の6つのリソースブロックの組において過負荷インジケータを送信することによっても達成され得る。
【０１２３】
過負荷インジケータは、過負荷インジケータの検出が、DRXを用いて動作するUEのバッテリー寿命にできるだけ影響を及ぼさないような方法で送信され得る。これは、サブフレーム0および/または5中で過負荷インジケータを送信することによって達成され得、なぜなら、UEは、これらのサブフレームをセル検出および追跡のためにすでに監視していることがあるからである。PBCHはサブフレーム5ではなくサブフレーム0中で送信されるので、サブフレーム5は、過負荷インジケータを送信するために使用され得るより多くのリソース要素を有し得る。過負荷インジケータの周期は、サブフレーム5中のシステム情報ブロック1(SIB1)の送信を回避するために、20ms以上とすることができる。
【０１２４】
システムは、複数のキャリア上での動作をサポートすることができ、各キャリアは、固有の周波数範囲および固有の中心周波数によって定義され得る。1つの構成では、過負荷インジケータが、所与のダウンリンクキャリア上でセルによって送信され、1つまたは複数のアップリンクキャリア上でUEの送信を制御し得る。別の構成では、異なるアップリンクキャリアをカバーする複数の過負荷インジケータが、同じまたは異なるダウンリンクキャリア上で送信され得る。複数の過負荷インジケータが1つのダウンリンクキャリア上で送信されるとき、それらの過負荷インジケータは、異なるリソース(たとえば、異なるリソースブロック)上で送信され得る。過負荷インジケータはまた、隣接キャリア漏洩比(Adjacent Carrier Leakage Ratio)(ACLR)によって引き起こされる干渉を制御するために使用され得、ACLRは、1つのキャリア上で送信しているUEが、隣接するキャリア上での干渉を引き起こすときに生じ得る。同一チャネル干渉およびACLRを制御するために、同じ過負荷インジケータまたは異なる過負荷インジケータが使用され得る。
【０１２５】
DRX中のUEは、バッテリー寿命への影響を低減するために、過負荷インジケータの全ての送信の部分集合のみを監視することができる。DRX中のUEはまた、たとえば、DRXモードにおいてアップリンク上で送信することができない場合、過負荷インジケータの全ての送信を無視することができる。この場合、サービングセルは、長いDRXサイクル後に起こる任意のアップリンク送信に(たとえば、開ループ予測に基づいて)控えめな初期送信電力レベルを割り当てることができる。
【０１２６】
UEは、同様の(しかし、場合によっては非同期の)タイミングで複数の隣接セルからの過負荷インジケータを監視することができる。UEは、サブサンプリングによって、様々なセルから過負荷インジケータの送信の一部のみを受信することができる。UEは、サブサンプリングを考慮するように、そのUEの送信を制御することができる。たとえば、UEは、サブサンプリングにより消失した過負荷インジケータを考慮するために追加のステップサイズを適用することによって、そのUEの送信電力を調整することができる。
【０１２７】
図７に、第1のOICHの構成に基づいて過負荷インジケータを送信するプロセス700の構成を示す。プロセス700は、セル(たとえば、セルのための基地局/eNB)によって、または何らかの他のエンティティによって実行され得る。セルは、その負荷に基づいて過負荷インジケータを決定する(ブロック712)。セルは、チャネル推定および/または他の目的のためにUEによって使用され得る基準信号を送信する(ブロック714)。セルは、上記セルの上記過負荷インジケータを含む少なくとも1つの同期信号を送信する(ブロック716)。上記少なくとも1つの同期信号は、セル捕捉および/または他の目的のためにUEによって使用され、プライマリ同期信号および/またはセカンダリ同期信号を含むことができる。上記過負荷インジケータは上記少なくとも1つの同期信号上で送信され得、上記基準信号は位相基準として使用され得る。
【０１２８】
1つの構成では、上記少なくとも1つの同期信号はプリコーディングを用いてビームに沿って送信され得、上記基準信号はプリコーディングを用いずに送信され得る。セルは、上記少なくとも1つの同期信号のために使用される上記プリコーディングまたはビームを示す情報を送信することができる。代替的に、上記プリコーディングまたはビームは、UEによって指定され、事前に知られ得る。
【０１２９】
1つの構成では、セルは、上記少なくとも1つの同期信号のうちのある同期信号のための複数のシンボルを生成することができる。セルは、上記過負荷インジケータのためのシンボルを生成することができる。セルは、たとえば、式(1)に示すように、複数の変調されたシンボルを得るために上記同期信号のための上記複数のシンボルに上記過負荷インジケータのための上記シンボルを乗算することができる。次いで、セルは、(上記複数のシンボルではなく)上記複数の変調されたシンボルに基づいて上記同期信号を生成することができる。
【０１３０】
1つの構成では、上記過負荷インジケータは、上記セルの負荷を示す少なくとも1つのビットを含むことができる。たとえば、上記過負荷インジケータは、上記セルが重負荷を観測するかどうかを示すことができる。上記過負荷インジケータは、ダウンリンクキャリア上で送信され、上記ダウンリンクキャリアに関連する少なくとも1つのアップリンクキャリアの負荷を示すことができる。
【０１３１】
図８に、過負荷インジケータを送信する装置800の構成を示す。装置800は、セルについての過負荷インジケータを決定するモジュール812と、上記セルのための基準信号を送信するモジュール814と、上記セルの上記過負荷インジケータを含む少なくとも1つの同期信号を送信するモジュール816とを含む。上記過負荷インジケータは上記少なくとも1つの同期信号上で送信され得、上記基準信号は位相基準として使用され得る。
【０１３２】
図９に、第2のOICHの構成に基づいて過負荷インジケータを送信するプロセス900の構成を示す。プロセス900は、セルによって、または何らかの他のエンティティによって実行され得る。セルは、その負荷に基づいて過負荷インジケータを決定する(ブロック912)。セルは、第1の時間期間内に少なくとも1つの同期信号(たとえば、PSSおよび/またはSSS)の第1の送信を送出する(ブロック914)。セルは、第2の時間期間内に上記過負荷インジケータを含む上記少なくとも1つの同期信号の第2の送信を送出する(ブロック916)。上記過負荷インジケータは、上記少なくとも1つの同期信号の上記第2の送信と上記第1の送信との間の位相差によって伝達され得る。1つの構成では、LTEの場合、上記第1の時間期間は、無線フレームのサブフレーム0に対応し得、上記第2の時間期間は、上記無線フレームのサブフレーム5に対応し得る。
【０１３３】
1つの構成では、セルは、上記少なくとも1つの同期信号のうちのある同期信号のための複数のシンボルを生成することができる。セルは、上記過負荷インジケータのためのシンボルを生成することができる。セルは、複数の変調されたシンボルを得るために上記同期信号のための上記複数のシンボルに上記過負荷インジケータのための上記シンボルを乗算することができる。セルは、上記複数のシンボルに基づいて上記同期信号の上記第1の送信を生成することができる。セルは、上記複数の変調されたシンボルに基づいて上記同期信号の上記第2の送信を生成することができる。セルは、両方の送信のために使用され得るビームのためのプリコーディングを用いて上記少なくとも1つの同期信号の上記第1および第2の送信を送出することができる。
【０１３４】
図１０に、過負荷インジケータを送信する装置1000の構成を示す。装置1000は、セルの過負荷インジケータを決定するモジュール1012と、第1の時間期間内に上記セルのための少なくとも1つの同期信号の第1の送信を送出するモジュール1014と、第2の時間期間内に上記過負荷インジケータを含む上記少なくとも1つの同期信号の第2の送信を送出するモジュール1016とを含む。上記過負荷インジケータは、上記少なくとも1つの同期信号の上記第2の送信と上記第1の送信との間の位相差によって伝達され得る。
【０１３５】
図１１に、第3のOICHの構成に基づいて過負荷インジケータを送信するプロセス1100の構成を示す。プロセス1100は、セルによって、または何らかの他のエンティティによって実行され得る。セルは、その負荷に基づいて過負荷インジケータを決定する(ブロック1112)。セルは、上記過負荷インジケータを送信するための予約されたリソースを決定する(ブロック1114)。1つの構成では、上記予約されたリソースは、少なくとも1つのリソースブロックのデータ領域内のリソース要素を含む。別の構成では、上記予約されたリソースは、少なくとも1つのリソースブロックの制御領域内のリソース要素を含むことができる。さらに別の構成では、上記予約されたリソースは、少なくとも1つのリソースブロック中の未使用のリソース要素を含むことができる。全ての構成について、セルは、上記予約されたリソース上で上記過負荷インジケータを隣接セル内のUEに送信する(ブロック1116)。
【０１３６】
セルは、システム帯域幅の中心部分において少なくとも1つの同期信号を送信することができる。上記予約されたリソースは、上記システム帯域幅の上記中心部分におけるリソース要素を含むことができ、それにより、UEによる上記過負荷インジケータの受信が簡略化され得る。セルは、利用可能なサブフレームのうちの指定されたサブフレーム(たとえば、サブフレーム0および5)中で上記少なくとも1つの同期信号を送信することができる。上記予約されたリソースは、上記指定されたサブフレームの全てまたは部分集合内のリソース要素を含むことができ、それにより、UEの受信時間が低減され得、なぜなら、UEは、通常、上記少なくとも1つの同期信号を受信することができるからである。セルは、少なくとも1つのシンボル期間内に上記少なくとも1つの同期信号を送信することができる。上記予約されたリソースは、上記少なくとも1つのシンボル期間内の未使用のリソース要素を含む。
【０１３７】
セルは、ブロードキャスト領域(たとえば、PBCH領域)中のリソース要素の第1の集合においてブロードキャストチャネルを送信し、上記ブロードキャスト領域内のリソース要素の第2の集合において基準信号を送信することができる。上記ブロードキャスト領域は、複数のシンボル期間内の複数のサブキャリアをカバーすることができる。上記予約されたリソースは、上記ブロードキャストチャネルまたは上記基準信号のために使用されていない上記ブロードキャスト領域内のリソース要素を含むことができる。
【０１３８】
1つの構成では、セルは、プリコーディングを用いて上記少なくとも1つの同期信号を送信し、プリコーディングを用いて上記過負荷インジケータをも送信することができる。上記少なくとも1つの同期信号は、上記過負荷インジケータのための位相基準を与えることができる。別の構成では、セルは、プリコーディングを用いずに上記過負荷インジケータを送信することができる。セルは、上記過負荷インジケータのための位相基準を与えることができる基準信号を送信することができる。セルはまた、追加の基準信号を送信することができる。
【０１３９】
図１２に、過負荷インジケータを送信する装置1200の構成を示す。装置1200は、セルの過負荷インジケータを決定するモジュール1212と、上記過負荷インジケータを送信するための予約されたリソースを決定するモジュール1214と、上記予約されたリソース上で上記セルの上記過負荷インジケータを隣接セル内のUEに送信するモジュール1216とを含む。
【０１４０】
図１３に、第4のOICHの構成に基づいて過負荷インジケータを送信するプロセス1300の構成を示す。プロセス1300は、セルによって、または何らかの他のエンティティによって実行され得る。セルは、その負荷に基づいて過負荷インジケータを決定する(ブロック1312)。セルは、低再利用チャネルまたはブロードキャストチャネル上で上記過負荷インジケータを隣接セル内のUEに送信する(ブロック1314)。セルはまた、少なくとも1つの隣接セルの少なくとも1つの過負荷インジケータを得て、上記低再利用チャネルまたは上記ブロードキャストチャネル上で上記少なくとも1つの過負荷インジケータを送信することができる。
【０１４１】
上記低再利用チャネルは、セルのうちの一部分のみが所与のリソース上でそのセルの低再利用チャネルを送信するように、1よりも大きい再利用係数を用いて送信され、したがって、より少ない干渉を引き起こし得る。1つの構成では、上記低再利用チャネルは、1よりも大きい再利用係数を用いて送信され得る低再利用プリアンブルを含むことができる。別の構成では、上記低再利用チャネルは、低再利用の予約されたリソース上で送信され得る。上記予約されたリソースは、データおよび制御情報の送信のために使用されないことがあるガードサブキャリアを占有することができる。セルは、上記低再利用チャネルを送信するために上記予約されたリソースの一部をランダムに選択し、上記選択されたリソース上で上記低再利用チャネルを送信することができる。
【０１４２】
図１４に、過負荷インジケータを送信する装置1400の構成を示す。装置1400は、セルの過負荷インジケータを決定するモジュール1412と、低再利用チャネルまたはブロードキャストチャネル上で上記セルの上記過負荷インジケータを隣接セル内のUEに送信するモジュール1414とを含む。
【０１４３】
図１５に、第1のOICHの構成に基づいて送信された過負荷インジケータを受信するプロセス1500の構成を示す。プロセス1500は、(後述のように)UEによって、または何らかの他のエンティティによって実行され得る。UEは、サービングセルと通信することができる。UEは、隣接セルから基準信号を受信する(ブロック1512)。UEはまた、上記隣接セルから少なくとも1つの同期信号(たとえば、PSSおよび/またはSSS)を受信する(ブロック1514)。上記少なくとも1つの同期信号は、上記隣接セルの過負荷インジケータを含むことができる。
【０１４４】
UEは、上記基準信号に基づいて上記少なくとも1つの同期信号の検出を実行して上記隣接セルの上記過負荷インジケータを取り出す(ブロック1516)。1つの構成では、UEは、上記基準信号に基づいて上記隣接セルのチャネル推定値を導出することができる。次いで、UEは、上記チャネル推定値に基づいて上記少なくとも1つの同期信号の検出を実行して上記隣接セルの上記過負荷インジケータを取り出すことができる。上記少なくとも1つの同期信号はプリコーディングを用いて送信され得、上記基準信号はプリコーディングを用いずに送信され得る。この場合、UEは、上記チャネル推定値と、上記プリコーディングのための重み付けとに基づいて、上記隣接セルの実効チャネル推定値を導出することができる。次いで、UEは、たとえば、式(5)または式(6)に示すように、上記実効チャネル推定値に基づいて上記少なくとも1つの同期信号の検出を実行することができる。
【０１４５】
UEは、上記過負荷インジケータに基づいて上記隣接セルの負荷を決定する(ブロック1518)。UEは、上記隣接セルの上記負荷に基づいて上記UEの動作を制御する(ブロック1520)。たとえば、UEは、上記隣接セルの上記負荷に基づいて、上記UEの送信電力を調整するか、または1つまたは複数の送信をスキップするか、または1つまたは複数のリソース上で送信することを回避するか、および/または他のアクションを実行することができる。代替または追加として、UEは、上記隣接セルの上記過負荷インジケータに基づいてフィードバック情報を決定することができる。UEは、上記フィードバック情報を、適切な修正アクションを実行することができるサービングセルに送信することができる。
【０１４６】
図１６に、過負荷インジケータを受信する装置1600の構成を示す。装置1600は、UEにおいて隣接セルから基準信号を受信するモジュール1612と、上記UEにおいて上記隣接セルから、上記隣接セルの過負荷インジケータを含む少なくとも1つの同期信号を受信するモジュール1614と、上記基準信号に基づいて上記少なくとも1つの同期信号の検出を実行して上記隣接セルの上記過負荷インジケータを取り出すモジュール1616と、上記過負荷インジケータに基づいて上記隣接セルの負荷を決定するモジュール1618と、上記隣接セルの上記負荷に基づいて上記UEの動作を制御するモジュール1620とを含む。
【０１４７】
図１７に、第2のOICHの構成に基づいて送信された過負荷インジケータを受信するプロセス1700の構成を示す。プロセス1700は、UEによって、または何らかの他のエンティティによって実行され得る。UEは、第1の時間期間内に隣接セルから少なくとも1つの同期信号(たとえば、PSSおよび/またはSSS)の第1の送信を受信する(ブロック1712)。UEは、第2の時間期間内に上記隣接セルから上記少なくとも1つの同期信号の第2の送信を受信する(ブロック1714)。上記少なくとも1つの同期信号の上記第2の送信は、上記隣接セルの過負荷インジケータを含むことができる。UEは、上記少なくとも1つの同期信号の上記第1の送信に基づいて上記少なくとも1つの同期信号の上記第2の送信の検出を実行して上記隣接セルの上記過負荷インジケータを取り出す (ブロック1716)。たとえば、UEは、上記少なくとも1つの同期信号の上記第1の送信に基づいて上記隣接セルのチャネル推定値を導出することができる。次いで、UEは、上記チャネル推定値に基づいて上記少なくとも1つの同期信号の上記第2の送信の検出を実行して上記隣接セルの上記過負荷インジケータを取り出すことができる。
【０１４８】
UEは、上記過負荷インジケータに基づいて上記隣接セルの負荷を決定し、上記隣接セルの上記負荷に基づいて上記UEの動作を制御することができる。UEはまた、上記過負荷インジケータに基づいてフィードバック情報を決定し、上記フィードバック情報をサービングセルに送信することができる。
【０１４９】
図１８に、過負荷インジケータを受信する装置1800の構成を示す。装置1800は、第1の時間期間内にUEにおいて隣接セルから少なくとも1つの同期信号の第1の送信を受信するモジュール1812と、第2の時間期間内に上記UEにおいて上記隣接セルから、上記隣接セルの過負荷インジケータを含む上記少なくとも1つの同期信号の第2の送信を受信するモジュール1814と、上記少なくとも1つの同期信号の上記第1の送信に基づいて上記少なくとも1つの同期信号の上記第2の送信の検出を実行して上記隣接セルの上記過負荷インジケータを取り出すモジュール1816とを含む。
【０１５０】
図１９に、第3のOICHの構成に基づいて送信された過負荷インジケータを受信するプロセス1900の構成を示す。プロセス1900は、UEによって、または何らかの他のエンティティによって実行され得る。UEは、隣接セルの過負荷インジケータを送信するための予約されたリソースを決定する(ブロック1912)。上記予約されたリソースは、(i)少なくとも1つのリソースブロックのデータ領域内のリソース要素、(ii)少なくとも1つのリソースブロックの制御領域内のリソース要素、(iii)少なくとも1つのリソースブロック中の未使用のリソース要素、および/または(iv)他のリソース要素を含むことができる。UEは、上記予約されたリソース上で上記隣接セルの上記過負荷インジケータを受信する(ブロック1914)。UEは、上記隣接セルの上記過負荷インジケータの各送信を受信するか、または上記UEの受信時間を低減するために上記過負荷インジケータの全ての送信の部分集合のみを受信することができる。
【０１５１】
図１９に示す1つの構成では、UEは、プリコーディングを用いて上記隣接セルによって送信された少なくとも1つの同期信号を受信する(ブロック1916)。上記過負荷インジケータも、プリコーディングを用いて上記隣接セルによって送信され得る。UEは、上記少なくとも1つの同期信号に基づいて上記隣接セルのチャネル推定値を導出する(ブロック1918)。次いで、UEは、上記チャネル推定値に基づいて検出を実行して上記隣接セルの上記過負荷インジケータを取り出す(ブロック1920)。
【０１５２】
図１９に示していない別の構成では、UEは、上記隣接セルから基準信号、および場合によっては追加の基準信号を受信することができる。UEは、上記基準信号に基づいて上記隣接セルのチャネル推定値を導出することができる。次いで、UEは、上記チャネル推定値に基づいて検出を実行して上記隣接セルの上記過負荷インジケータを取り出すことができる。上記過負荷インジケータは、プリコーディングを用いて上記隣接セルによって送信されることも送信されないこともある。上記過負荷インジケータがプリコーディングを用いて送信された場合、UEは、上記チャネル推定値と、上記プリコーディングのための重み付けとに基づいて、実効チャネル推定値を導出することができる。次いで、UEは、たとえば、式(5)または式(6)に示すように、上記実効チャネル推定値を用いて検出を実行することができる。
【０１５３】
UEは、上記過負荷インジケータに基づいて上記隣接セルの負荷を決定し、上記隣接セルの上記負荷に基づいて上記UEの動作を制御することができる。UEはまた、上記過負荷インジケータに基づいてフィードバック情報を決定し、上記フィードバック情報をサービングセルに送信することができる。
【０１５４】
図２０に、過負荷インジケータを受信する装置2000の構成を示す。装置2000は、隣接セルの過負荷インジケータを送信するための予約されたリソースを決定するモジュール2012と、UEにおいて上記予約されたリソース上で上記隣接セルの上記過負荷インジケータを受信するモジュール2014と、プリコーディングを用いて上記隣接セルによって送信された少なくとも1つの同期信号を受信するモジュール2016とを含み、上記過負荷インジケータはプリコーディングを用いて上記隣接セルによって送信され、上記少なくとも1つの同期信号に基づいて上記隣接セルのチャネル推定値を導出するモジュール2018と、上記チャネル推定値に基づいて検出を実行して上記隣接セルの上記過負荷インジケータを取り出すモジュール2020とをさらに含む。
【０１５５】
図２１に、第4のOICHの構成に基づいて送信された過負荷インジケータを受信するプロセス2100の構成を示す。プロセス2100は、UEによって、または何らかの他のエンティティによって実行され得る。UEは、隣接セルから低再利用チャネルまたはブロードキャストチャネルを受信する(ブロック2112)。UEは、上記低再利用チャネルまたは上記ブロードキャストチャネルを処理して上記隣接セルの過負荷インジケータを取り出す(ブロック2114)。上記低再利用チャネルは、1よりも大きい再利用係数を用いて送信され、他のセルからのより少ない干渉を観測し得る。上記低再利用チャネルは、低再利用プリアンブルを含むか、または低再利用の予約されたリソース(たとえば、ガードサブキャリア)上で送信され得る。
【０１５６】
UEは、上記過負荷インジケータに基づいて上記隣接セルの負荷を決定し、上記隣接セルの上記負荷に基づいて上記UEの動作を制御することができる。UEはまた、上記過負荷インジケータに基づいてフィードバック情報を決定し、上記フィードバック情報をサービングセルに送信することができる。
【０１５７】
図２２に、過負荷インジケータを受信する装置2200の構成を示す。装置2200は、UEにおいて隣接セルから低再利用チャネルまたはブロードキャストチャネルを受信するモジュール2212と、上記低再利用チャネルまたは上記ブロードキャストチャネルを処理して上記隣接セルの過負荷インジケータを取り出すモジュール2214とを含む。
【０１５８】
図８、図１０、図１２、図１４、図１６、図１８、図２０および図２２のモジュールは、プロセッサ、電子デバイス、ハードウェアデバイス、電子構成要素、論理回路、メモリ、ソフトウェアコード、ファームウェアコードなど、またはそれらの任意の組合せを含むことができる。
【０１５９】
図２３に、図１中のUEのうちの1つであり得るUE120と、図１中の基地局/eNBのうちの2つであり得る2つの基地局/eNB110xおよび110yの構成のブロック図を示す。各基地局は、T≧1であるT個のアンテナを装備することができ、UE120は、R≧1であるR個のアンテナを装備することができる。各基地局は、1つまたは複数のセルにサービスすることができる。基地局110xは、UE120のためのサービングセルを含むことができ、基地局110yは、UE120のための1つまたは複数の隣接セルを含むことができる。
【０１６０】
各基地局110において、送信プロセッサ2320は、データソース2312から1つまたは複数のUEのデータを受信し、1つまたは複数の変調および符号化方式に基づいて各UEのデータを処理(たとえば、符号化および変調)し、全てのUEのデータシンボルを与えることができる。送信プロセッサ2320はまた、コントローラ/プロセッサ2340から制御情報を受信し、制御情報を処理し、制御シンボルを与えることができる。制御情報は、基地局110によってサービスされる各セルの過負荷インジケータを含むことができる。送信プロセッサ2320はまた、基地局110によってサービスされる各セルのための基準信号および同期信号のための基準シンボルを生成することができる。送信(TX)多入力多出力(MIMO)プロセッサ2330は、適用可能な場合、データシンボル、制御シンボル、および/または基準シンボルに対して空間処理(たとえば、プリコーディングまたはビームフォーミング)を実行し、T個の出力シンボルストリームをT個の送信機(TMTR)2332a〜2332tに供給することができる。各送信機2332は、(たとえば、OFDMなどのために)それぞれの出力シンボルストリームを処理して出力サンプルストリームを得ることができる。各送信機2332はさらに、出力サンプルストリームを処理(たとえば、アナログへの変換、増幅、フィルタ処理、およびアップコンバート)して、ダウンリンク信号を得ることができる。送信機2332a〜2332tからのT個のダウンリンク信号は、それぞれT個のアンテナ2334a〜2334tを介して送信され得る。
【０１６１】
UE120において、R個のアンテナ2352a〜2352rは、サービング基地局110x、隣接基地局110y、および場合によっては他の基地局からダウンリンク信号を受信し、受信信号をそれぞれ受信機(RCVR)2354a〜2354rに供給することができる。各受信機2354は、その受信機の受信信号を調整(たとえば、フィルタ処理、増幅、ダウンコンバート、およびデジタル化)して受信サンプルを得て、さらに、(たとえば、OFDMなどのために)受信サンプルを処理して受信シンボルを得ることができる。MIMO検出器2360は、チャネルプロセッサ2394からのチャネル推定値に基づいて、全てのR個の受信機2354a〜2354rからの受信シンボルに対して検出を実行し、検出されたシンボルを与えることができる。チャネルプロセッサ2394は、基準信号および/または同期信号に基づいてチャネル推定値を導出することができる。受信プロセッサ2370は、検出されたシンボルを処理(たとえば、シンボルデマッピングおよび復号)し、UE120のために復号されたデータをデータシンク2372に供給し、復号された制御情報(たとえば、隣接セルの過負荷インジケータ)をコントローラ/プロセッサ2390に供給することができる。プロセッサ2390は、たとえば、上記で説明したように、隣接セルの過負荷インジケータに基づいてUE120の動作を制御することができる。
【０１６２】
アップリンク上では、UE120において、データソース2378からのデータ、およびコントローラ/プロセッサ2390からの制御情報は、送信プロセッサ2380によって処理され、(適用可能な場合は)TX MIMOプロセッサ2382によってプリコーディングされ、送信機2354a〜2354rによって調整され、アンテナ2352a〜2352rを介して送信され得る。基地局110において、UE120および他のUEからのアップリンク信号は、アンテナ2334によって受信され、受信機2332によって調整され、MIMO検出器2336によって検出され、受信プロセッサ2338によって処理されて、UE120および他のUEによって送信されたデータおよび制御情報を得ることができる。
【０１６３】
コントローラ/プロセッサ2340x、2340y、および2390は、それぞれ基地局110xおよび110yならびにUE120における動作を指示することができる。各基地局110におけるプロセッサ2340および/または他のプロセッサおよびモジュールは、図７のプロセス700、図９のプロセス900、図１１のプロセス1100、図１３のプロセス1300、および/または本明細書で説明する技法のための他のプロセスを実行または指示することができる。UE120におけるプロセッサ2390および/または他のプロセッサおよびモジュールは、図１５のプロセス1500、図１７のプロセス1700、図１９のプロセス1900、図２１のプロセス2100、および/または本明細書で説明する技法のための他のプロセスを実行または指示することができる。メモリ2342x、2342yおよび2392は、それぞれ基地局110xおよび110yならびにUE120のためのデータおよびプログラムコードを記憶することができる。各基地局110におけるスケジューラ2344は、UEをダウンリンクおよび/またはアップリンク上の送信用にスケジュールし、スケジュールされたUEにリソースを割り当てることができる。
【０１６４】
情報および信号は様々な異なる技術および技法のいずれかを使用して表すことができることを、当業者は理解されよう。たとえば、上記の説明全体にわたって言及されるデータ、命令、コマンド、情報、信号、ビット、シンボル、およびチップは、電圧、電流、電磁波、磁界または磁性粒子、光場または光学粒子、あるいはそれらの任意の組合せによって表すことができる。
【０１６５】
さらに、本明細書の開示に関連して説明した様々な例示的な論理ブロック、モジュール、回路、およびアルゴリズムステップは、電子ハードウェア、コンピュータソフトウェア、または両方の組合せとして実装できることを、当業者は理解されよう。ハードウェアとソフトウェアのこの互換性を明確に示すために、様々な例示的な構成要素、ブロック、モジュール、回路、およびステップを、上記では概してそれらの機能に関して説明した。そのような機能をハードウェアとして実装するか、ソフトウェアとして実装するかは、特定の適用例および全体的なシステムに課される設計の制約に依存する。当業者は、説明した機能を特定の適用例ごとに様々な方法で実装することができるが、そのような実装の決定は、本開示の範囲からの逸脱を生じるものと解釈すべきではない。
【０１６６】
本明細書の開示に関連して説明した様々な例示的な論理ブロック、モジュール、および回路は、汎用プロセッサ、デジタル信号プロセッサ(DSP)、特定用途向け集積回路(ASIC)、フィールドプログラマブルゲートアレイ(FPGA)または他のプログラマブル論理デバイス、個別ゲートまたはトランジスタロジック、個別ハードウェア構成要素、あるいは本明細書で説明した機能を実行するように構成されたそれらの任意の組合せを用いて実装または実行できる。汎用プロセッサはマイクロプロセッサとすることができるが、代替として、プロセッサは、任意の従来のプロセッサ、コントローラ、マイクロコントローラ、または状態機械とすることができる。プロセッサは、コンピューティングデバイスの組合せ、たとえば、DSPとマイクロプロセッサとの組合せ、複数のマイクロプロセッサ、DSPコアと連携する1つまたは複数のマイクロプロセッサ、あるいは任意の他のそのような構成として実装することもできる。
【０１６７】
本明細書の開示に関して説明する方法またはアルゴリズムのステップは、直接ハードウェアで実施するか、プロセッサによって実行されるソフトウェアモジュールで実施するか、またはその2つの組合せで実施することができる。ソフトウェアモジュールは、RAMメモリ、フラッシュメモリ、ROMメモリ、EPROMメモリ、EEPROMメモリ、レジスタ、ハードディスク、リムーバブルディスク、CD-ROM、またはこの技術分野で知られている任意の他の形態の記憶媒体中に具備することができる。例示的な記憶媒体は、プロセッサが記憶媒体から情報を読み取り、記憶媒体に情報を書き込むことができるように、プロセッサに結合される。代替として、記憶媒体はプロセッサに一体化することができる。プロセッサおよび記憶媒体はASIC中に具備することができる。ASICは、ユーザ端末内に具備することができる。代替として、プロセッサおよび記憶媒体は、ユーザ端末内に個別の構成要素として具備することもできる。
【０１６８】
1つまたは複数の例示的な構成では、説明した機能を、ハードウェア、ソフトウェア、ファームウェア、またはそれらの組合せで実装することができる。ソフトウェアで実装する場合、機能は、1つまたは複数の命令またはコードとしてコンピュータ読み取り可能な媒体上に記憶するか、あるいはコンピュータ読み取り可能な媒体を介して送信することができる。コンピュータ読み取り可能な媒体は、ある場所から別の場所へのコンピュータプログラムの転送を可能にする任意の媒体を含む、コンピュータ記憶媒体とコンピュータ通信媒体の両方を含む。記憶媒体は、汎用または専用コンピュータによってアクセスできる任意の利用可能な媒体とすることができる。限定ではなく例として、そのようなコンピュータ読み取り可能な媒体は、RAM、ROM、EEPROM、CD-ROMまたは他の光ディスクストレージ、磁気ディスクストレージまたは他の磁気ストレージデバイス、あるいは命令またはデータ構造の形態の所望のプログラムコード手段を搬送または記憶するために使用でき、汎用または専用コンピュータあるいは汎用または専用プロセッサによってアクセスできる任意の他の媒体を含むことができる。また、いかなる接続もコンピュータ読み取り可能な媒体と適切に呼ばれる。たとえば、ソフトウェアが、同軸ケーブル、光ファイバケーブル、ツイストペア、デジタル加入者回線(DSL)、または赤外線、無線、およびマイクロ波などのワイヤレス技術を使用して、ウェブサイト、サーバ、または他のリモートソースから送信される場合、同軸ケーブル、光ファイバケーブル、ツイストペア、DSL、または赤外線、無線、およびマイクロ波などのワイヤレス技術は、媒体の定義に含まれる。本明細書で使用するディスク(disk)およびディスク(disc)は、コンパクトディスク(disc)(CD)、レーザディスク(disc)、光ディスク(disc)、デジタル多用途ディスク(disc)(DVD)、フロッピー（登録商標）ディスク(disk)およびブルーレイディスク(disc)を含み、ディスク(disk)は、通常、データを磁気的に再生し、ディスク(disc)は、データをレーザで光学的に再生する。上記の組合せもコンピュータ読み取り可能な媒体の範囲内に含めるべきである。
【０１６９】
本開示の前述の説明は、いかなる当業者でも本開示を作成または使用することができるように提供される。本開示への様々な修正は当業者には容易に明らかであり、本明細書で定義した一般原理は、本開示の趣旨または範囲から逸脱することなく他の変形形態に適用できる。したがって、本開示は、本明細書で説明する例および構成に限定されるものではなく、本明細書で開示する原理および新規の特徴に合致する最も広い範囲を与えられるべきである。
【符号の説明】
【０１７０】
100  ワイヤレス通信システム
102a、102b、102c  マクロセル
102d  ピコセル
102e  フェムトセル
110、110x、110y  eNB
110a、110b、110c  マクロeNB
110d  ピコeNB
110e  フェムトeNB
110x  サービング基地局
120  UE
130  ネットワークコントローラ
200  フレーム構造
310、320  正規サブフレームフォーマット
2312  データソース
2320、2380  送信プロセッサ
2330  送信(TX)多入力多出力(MIMO)プロセッサ
2332  受信機
2332  送信機
2332a  送信機(TMTR)
2332t  送信機(TMTR)
2334、2334a、2334t、2352a、2352r  アンテナ
2336、2360  MIMO検出器
2338、2370  受信プロセッサ
2339、2372  データシンク
2340  プロセッサ
2340、2340x、2340y、2390  コントローラ/プロセッサ
2342x、2342y、2392  メモリ
2344  スケジューラ
2354a、2354r  受信機(RCVR)
2354a、2354r  送信機
2378  データソース
2382  TX MIMOプロセッサ
2394  チャネルプロセッサ
【図１】
0005714657.tif 000020
【図２】
0005714657.tif 000021
【図３】
0005714657.tif 000022
【図４】
0005714657.tif 000023
【図５Ａ】
0005714657.tif 000024
【図５Ｂ】
0005714657.tif 000025
【図６Ａ】
0005714657.tif 000026
【図６Ｂ】
0005714657.tif 000027
【図７】
0005714657.tif 000028
【図８】
0005714657.tif 000029
【図９】
0005714657.tif 000030
【図１０】
0005714657.tif 000031
【図１１】
0005714657.tif 000032
【図１２】
0005714657.tif 000033
【図１３】
0005714657.tif 000034
【図１４】
0005714657.tif 000035
【図１５】
0005714657.tif 000036
【図１６】
0005714657.tif 000037
【図１７】
0005714657.tif 000038
【図１８】
0005714657.tif 000039
【図１９】
0005714657.tif 000040
【図２０】
0005714657.tif 000041
【図２１】
0005714657.tif 000042
【図２２】
0005714657.tif 000043
【図２３】
0005714657.tif 000044